(57)【特許請求の範囲】
【請求項１】
長手方向の一部で絶縁フィルムを除去してテープ状導体を露出させたＦＦＣ（フレキシブルフラットケーブル）を２枚、導体露出部が長手方向の同じ位置で対向するように配置し、この２枚のＦＦＣの長手方向にスライド可能なスライダーを設けたスライドスイッチであって、前記スライダーは、下側のＦＦＣの長手方向の一部を下面から持ち上げる凸条を有する下側支持片と、前記凸条と共に２枚のＦＦＣの長手方向の一部を挟みつける弾性押しつけ片と、この弾性押しつけ片の両側で２枚のＦＦＣの間に入る介在片とを一体に形成したものからなることを特徴とするスライドスイッチ。
【発明の詳細な説明】
【０００１】
【発明の属する技術分野】
本発明は、自動車内の電気回路や一般電気機器に使用されるスライドスイッチに関するものである。
【０００２】
【従来の技術】
従来のスライドスイッチは、図５に示すように、絶縁基板１上に所要の導体パターン２Ａ、２Ｂを形成したプリント基板３と、導体パターン２Ａ、２Ｂに跨がるように形成した導電性ブラシ４と、導体パターン２Ａ、２Ｂに半田付けされたリード線５とから構成され、導電性ブラシ４を矢印方向に移動させることにより電気回路のオン・オフを行うようになっている。
【０００３】
【発明が解決しようとする課題】
しかしながら、このようなスライドスイッチでは、特定の導体パターンを形成したプリント基板が必要であり、かつ導体パターンにリード線を接続する必要があるため、製作が面倒であり、信頼性が低いという問題があった。
【０００４】
このため本発明の目的は、製作が容易で、信頼性の高いスライドスイッチを提供することにある。
【０００５】
【課題を解決するための手段】
この目的を達成するため本発明のスライドスイッチは、長手方向の一部で絶縁フィルムを除去してテープ状導体を露出させたＦＦＣ（フレキシブルフラットケーブル）を２枚、導体露出部が長手方向の同じ位置で対向するように配置し、この２枚のＦＦＣの長手方向にスライド可能なスライダーを設けたスライドスイッチであって、前記スライダーは、下側のＦＦＣの長手方向の一部を下面から持ち上げる凸条を有する下側支持片と、前記凸条と共に２枚のＦＦＣの長手方向の一部を挟みつける弾性押しつけ片と、この弾性押しつけ片の両側で２枚のＦＦＣの間に入る介在片とを一体に形成したものからなることを特徴とするものである。
【０００６】
【発明の実施の形態】
以下、本発明の実施形態を図面を参照して詳細に説明する。
〔実施形態１〕
図１および図２は本発明の一実施形態を示す。このスライドスイッチは２枚のＦＦＣ11Ａ、11Ｂを用いている。各ＦＦＣ11Ａ、11Ｂは長手方向に連続するテープ状導体12の両面および両側縁をラミネートフィルム等の絶縁フィルム13で覆ったもので、一般に市販されているものである。２枚のＦＦＣ11Ａ、11Ｂはそれぞれ長手方向の一部で片面の絶縁フィルム13を除去してテープ状導体12を露出させてある。12ｅは導体露出部である。２枚のＦＦＣ11Ａ、11Ｂは導体露出部12ｅが長手方向の同じ位置で対向するように配置されている。
【０００７】
またこのスライドスイッチは、２枚のＦＦＣ11Ａ、11Ｂを挟みつけながらその長手方向にスライド可能なスライダー14を備えている。このスライダー14は、下側のＦＦＣ11Ｂの長手方向の一部を下面から持ち上げる凸条15を有する下側支持片16と、前記凸条15と共に２枚のＦＦＣ11Ａ、11Ｂの長手方向の一部を挟みつける弾性押しつけ片17と、弾性押しつけ片17の両側で２枚のＦＦＣ11Ａ、11Ｂの間に入る介在片18とを一体に形成したものである。スライダー14の材質は、ＰＰ（ポリプロピレン）、ＰＢＴ（ポリブチレンテレフタレート）若しくはナイロン等の合成樹脂又は金属等である。
【０００８】
図１（ａ）はスライダー14が２枚のＦＦＣ11Ａ、11Ｂの導体露出部12ｅの位置を挟みつけて上下のテープ状導体12が接触している状態、すなわちスイッチオンの状態を示す。この状態からスライダー14を例えば右方向にスライドさせると図１（ｂ）のようになる。すなわちスライダー14が２枚のＦＦＣ11Ａ、11Ｂの導体露出部12ｅ以外の位置を挟みつけて上下のテープ状導体12が絶縁された状態、すなわちスイッチオフの状態となる。このあとスライダー14を左方向にスライドさせれば図１（ａ）の状態にもどる。このスライドスイッチは以上のようにしてオン・オフ動作を行うものである。
【０００９】
このスライドスイッチは、ＦＦＣの絶縁フィルムを一部除去して、スライダーを組み合わせればよいので製作が容易であり、しかもＦＦＣをそのままリード線として使用できるので、リード線接続の必要がなく、高い信頼性を得ることができる。
【００１０】
〔参考例〕
図３は本発明の参考例を示す。このスライドスイッチは、２条のテープ状導体12Ａ、12Ｂを有する１枚のＦＦＣ11を使用するものである。ＦＦＣ11は長手方向の一部で片面の絶縁フィルム13を除去して２条のテープ状導体12Ａ、12Ｂを露出させてある。またスライダー14は、ＦＦＣ11の長手方向の一部を囲むように形成された枠体19の内側に導電性ブラシ20を取りつけた構造である。枠体19の材質は、ＰＰ、ＰＢＴ又はナイロン等の合成樹脂である。導電性ブラシ20は、バネ弾性を有する金属板（黄銅、リン青銅等の銅合金）で２条のテープ状導体12Ａ、12Ｂに跨がる形に形成され、枠体19によってＦＦＣ11の導体露出部12ｅを形成した方の面に押しつけられるようになっている。また前記導電性ブラシ20の先端部は絶縁フィルム13の厚み以上に上方へ折り曲げられている。
【００１１】
図３（ａ）、（ｂ）は、スライダー14の導電性ブラシ20がＦＦＣ11の導体露出部12ｅの位置にあり、２条のテープ状導体12Ａ、12Ｂが導電性ブラシ20を介して導通している状態、すなわちスイッチオンの状態である。この状態からスライダー14を図３（ｂ）で右または左に移動させれば、導電性ブラシ20がＦＦＣ11の絶縁フィルム13上に乗り上げるので、スイッチオフの状態となる。このスライドスイッチは以上のようにしてオン・オフ動作を行うものである。
【００１２】
〔その他の参考例〕
図３の参考例では２条のテープ状導体を有するＦＦＣを用いた場合を示したが、例えば図４に示すように３条のテープ状導体12Ａ、12Ｂ、12Ｃを有するＦＦＣ11を用いることもできる。このＦＦＣ11の片面に図示のような配置で導体露出部12ｅを形成し、これに各テープ状導体12Ａ、12Ｂ、12Ｃに跨がる導電性ブラシを有するスライダー（図示せず）を組み合わせれば、複数の回路のオン・オフを行うスライドスイッチを構成できる。なお上述の実施形態及び参考例において、テープ状導体を露出させる際には、ＦＦＣの両面の絶縁フィルムを除去してもかまわない。
【００１３】
【発明の効果】
以上説明したように本発明のスライドスイッチは、ＦＦＣの絶縁フィルムを一部除去して、スライダーを組み合わせればよいので製作が容易であり、しかもＦＦＣをそのままリード線として使用できるので、リード線を接続する必要がなく、信頼性が向上するという利点がある。
【図面の簡単な説明】
【図１】 本発明に係るスライドスイッチの一実施形態を示す、（ａ）はスイッチオンの状態の断面図、（ｂ）はスイッチオフの状態の断面図。
【図２】図１のスライドスイッチに使用したスライダーの斜視図。
【図３】本発明の参考例を示す、（ａ）は横断面図、（ｂ）は縦断面図。
【図４】本発明の参考例であるスライドスイッチに用いられるＦＦＣの他の例を示す平面図。
【図５】従来のスライドスイッチの概略構成を示す斜視図。
【符号の説明】
11Ａ、11Ｂ、11：ＦＦＣ（フレキシブルフラットケーブル）
12、12Ａ、12Ｂ、12Ｃ：テープ状導体
12ｅ：導体露出部
13：絶縁フィルム
14：スライダー
15：凸条
17：弾性押しつけ片
19：枠体
20：導電性ブラシ
【図１】
0003813354.tif 000002
【図２】
0003813354.tif 000003
【図３】
0003813354.tif 000004
【図４】
0003813354.tif 000005
【図５】
0003813354.tif 000006